(57)【要約】【課題】本発明はインターフェース回路、状態切替え方法及び装置に関し、端末技術分野に属する。【解決手段】インターフェース回路は、集積電源管理回路ＰＭＩＣと、ユニバーサルシリアルバスコントローラであるＵＳＢコントローラと、集積回路ＩＣと、ＵＳＢインターフェースと、を含み、ＰＭＩＣのＩＤ１はＩＣのＩＤ２に接続され、ＩＣのＣＣ１はＵＳＢインターフェースにおけるＣＣ２に接続され、ＵＳＢコントローラにおけるデータピンはＩＣによってＵＳＢインターフェースにおけるデータピンに接続される。マスターからスレーブへの切替え状態において、ＩＣは、ＩＤ２とＣＣ１をオフにし、ＩＤ２をハイレベルにし、ＣＣ１をローレベルにするという状態であり、スレーブからマスターへの切替え状態において、ＩＤ２とＣＣ１をオフにし、ＩＤ２をローレベルにし、ＣＣ１をハイレベルにするという状態であり、非切替え状態において、ＩＤ２とＣＣ１を導通させるという状態である。【選択図】図２Ａ
2017532701.tif 000002
【特許請求の範囲】
【請求項１】
インターフェース回路であって、前記インターフェース回路は、集積電源管理回路ＰＭＩＣと、ユニバーサルシリアルバスコントローラであるＵＳＢコントローラと、集積回路ＩＣと、ＵＳＢインターフェースと、を含み、
前記ＰＭＩＣの第１身元ピンＩＤ１は前記ＩＣの第２身元ピンＩＤ２に接続され、
前記ＩＣの第１構成チャネルピンＣＣ１は前記ＵＳＢインターフェースにおける第２構成チャネルピンＣＣ２に接続され、
前記ＵＳＢコントローラにおけるデータピンは前記ＩＣによって前記ＵＳＢインターフェースにおけるデータピンに接続され、
マスターからスレーブへの切替え状態において、前記ＩＣは、前記第２身元ピンＩＤ２と前記第１構成チャネルピンＣＣ１をオフにし、前記第２身元ピンＩＤ２をハイレベルにし、前記第１構成チャネルピンＣＣ１をローレベルにするという状態であり、
スレーブからマスターへの切替え状態において、前記ＩＣは、前記第２身元ピンＩＤ２と前記第１構成チャネルピンＣＣ１をオフにし、前記第２身元ピンＩＤ２をローレベルにし、前記第１構成チャネルピンＣＣ１をハイレベルにするという状態であり、
非切替え状態において、前記ＩＣは、前記第２身元ピンＩＤ２と前記第１構成チャネルピンＣＣ１を導通させるという状態である、ことを特徴とするインターフェース回路。
【請求項２】
前記ＰＭＩＣの第１電圧バスピンＶＢｕｓ１は前記ＩＣの第２電圧バスピンＶＢｕｓ２に接続され、前記ＩＣの第３電圧バスピンＶＢｕｓ３は前記ＵＳＢインターフェースの第４電圧バスピンＶＢｕｓ４に接続され、
前記マスターからスレーブへの切替え状態又は前記スレーブからマスターへの切替え状態において、前記ＩＣは、前記第２電圧バスピンＶＢｕｓ２と前記第３電圧バスピンＶＢｕｓ３をオフにするという状態であり、
前記非切替え状態において、前記ＩＣは、前記第２電圧バスピンＶＢｕｓ２と前記第３電圧バスピンＶＢｕｓ３を導通させるという状態である、ことを特徴とする請求項１に記載のインターフェース回路。
【請求項３】
前記ＵＳＢコントローラの第１データプラスピンＤ１＋は前記ＩＣの第２データプラスピンＤ２＋に接続され、前記ＩＣの第３データプラスピンＤ３＋は前記ＵＳＢインターフェースの第４データプラスピンＤ４＋に接続され、
前記ＵＳＢコントローラの第１データマイナスピンＤ１−は前記ＩＣの第２データマイナスピンＤ２−に接続され、前記ＩＣの第３データマイナスピンＤ３−は前記ＵＳＢインターフェースの第４データマイナスピンＤ４−に接続され、
前記マスターからスレーブへの切替え状態又は前記スレーブからマスターへの切替え状態において、前記ＩＣは、前記第２データプラスピンＤ２＋と前記第３データプラスピンＤ３＋をオフにし、前記第２データマイナスピンＤ２−と前記第３データマイナスピンＤ３−をオフにするという状態であり、
前記非切替え状態において、前記ＩＣは、前記第２データプラスピンＤ２＋と前記第３データプラスピンＤ３＋を導通させ、前記第２データマイナスピンＤ２−と前記第３データマイナスピンＤ３−を導通させるという状態である、ことを特徴とする請求項１又は２に記載のインターフェース回路。
【請求項４】
前記ＩＣは、さらに、前記ＩＣが前記マスターからスレーブへの切替え状態であるか又は前記スレーブからマスターへの切替え状態であるかを示すための状態切替え信号を受信する制御ピンを含むことを特徴とする請求項１〜３のいずれに記載のインターフェース回路。
【請求項５】
端末であって、前記端末には請求項１〜４のいずれに記載のインターフェース回路が取り付けられることを特徴とする端末。
【請求項６】
請求項１〜４のいずれに記載のインターフェース回路に用いられる状態切替え方法であって、前記方法は、
状態切替え信号を受信することと、
前記状態切替え信号により前記インターフェース回路が前記マスターからスレーブへの切替え状態であることを示す場合、前記ＩＣによって前記第２身元ピンＩＤ２と前記第１構成チャネルピンＣＣ１をオフにし、前記第２身元ピンＩＤ２をハイレベルにし、前記第１構成チャネルピンＣＣ１をローレベルにすることと、
前記状態切替え信号により前記インターフェース回路が前記スレーブからマスターへの切替え状態であることを示す場合、前記ＩＣによって前記第２身元ピンＩＤ２と前記第１構成チャネルピンＣＣ１をオフにし、前記第２身元ピンＩＤ２をローレベルにし、前記第１構成チャネルピンＣＣ１をハイレベルにすることと、
前記状態切替え信号に基づいて切替えを完成させた後に、前記ＩＣによって前記第２身元ピンＩＤ２と前記第１構成チャネルピンＣＣ１を導通させることと、を含むことを特徴とする状態切替え方法。
【請求項７】
前記インターフェース回路は請求項２に記載のインターフェース回路であり、前記方法は、さらに、
前記状態切替え信号を受信した後に、前記ＩＣによって前記第２電圧バスピンＶＢｕｓ２と前記第３電圧バスピンＶＢｕｓ３をオフにすることを含むことを特徴とする請求項６に記載の方法。
【請求項８】
前記方法は、さらに、
前記インターフェース回路が前記非切替え状態である場合、前記ＩＣによって前記第２電圧バスピンＶＢｕｓ２と前記第３電圧バスピンＶＢｕｓ３を導通させることを含むことを特徴とする請求項７に記載の方法。
【請求項９】
前記インターフェース回路は請求項３に記載のインターフェース回路であり、前記方法は、さらに、
前記状態切替え信号を受信した後に、前記ＩＣによって前記第２データプラスピンＤ２＋と前記第３データプラスピンＤ３＋をオフにし、前記第２データマイナスピンＤ２−と前記第３データマイナスピンＤ３−をオフにすることを含むことを特徴とする請求項６に記載の方法。
【請求項１０】
前記方法は、さらに、
前記インターフェース回路が前記非切替え状態である場合、前記ＩＣによって前記第２データプラスピンＤ２＋と前記第３データプラスピンＤ３＋を導通させ、且つ前記第２データマイナスピンＤ２−と前記第３データマイナスピンＤ３−を導通させることを含むことを特徴とする請求項９に記載の方法。
【請求項１１】
状態切替え装置であって、前記装置は、
前記状態切替え信号により前記インターフェース回路がマスターからスレーブへの切替え状態であることを示す場合、前記ＩＣによって前記第２身元ピンＩＤ２と前記第１構成チャネルピンＣＣ１をオフにし、前記第２身元ピンＩＤ２をハイレベルにし、前記第１構成チャネルピンＣＣ１をローレベルにするように配置され、
さらに、前記状態切替え信号により前記インターフェース回路が前記スレーブからマスターへの切替え状態であることを示す場合、前記ＩＣによって前記第２身元ピンＩＤ２と前記第１構成チャネルピンＣＣ１をオフにし、前記第２身元ピンＩＤ２をローレベルにし、前記第１構成チャネルピンＣＣ１をハイレベルにするように配置され、
さらに、前記状態切替え信号に基づいて切替えを完成させた後に、前記ＩＣによって前記第２身元ピンＩＤ２と前記第１構成チャネルピンＣＣ１を導通させるように配置された、
請求項４に記載のインターフェース回路と、
状態切替えリクエストを受信し、前記状態切替えリクエストに基づいて、前記制御ピンによって前記インターフェース回路における前記ＩＣに状態切替え信号を送信するように配置された、前記インターフェース回路における前記ＩＣの制御ピンに接続されるプロセッサと、
前記プロセッサの実行可能なコマンドを記憶するメモリと、を含むことを特徴とする状態切替え装置。
【発明の詳細な説明】
【技術分野】
【０００１】
本発明は端末技術分野に関し、特にインターフェース回路、状態切替え方法及び装置に関する。
【０００２】
本発明は出願番号がＣＮ２０１５１０４８３７１２．８であり、出願日が２０１５年０８月７日である中国特許出願に基づいて提出され、該中国特許出願の優先権を主張し、該中国特許出願の全ての内容はここで参考として本出願に援用される。
【背景技術】
【０００３】
ＵＳＢ（Ｕｎｉｖｅｒｓａｌ  Ｓｅｒｉａｌ  Ｂｕｓ、ユニバーサルシリアルバス）インターフェース技術が続々と発展するのに伴って、ユーザーは接続コードで２台の端末のＵＳＢインターフェースを接続させることができ、端末間のデータ交換又は電力伝送を実現する。
【発明の概要】
【発明が解決しようとする課題】
【０００４】
接続コードで２台の端末を接続させた後に、２台の端末におけるマスター装置は接続コードによってスレーブ装置にデータを読み書くことができるが、スレーブ装置はマスター装置にデータを読み書くことができない。接続コードで接続させた後に、２台の端末のマスタースレーブ状態がランダムで、且つ切り替えることができず、端末間のデータ交換に不利である。
【課題を解決するための手段】
【０００５】
本発明の実施例はインターフェース回路、状態切替え方法及び装置を提供し、該技術的解決手段は以下のとおりである。
【０００６】
本発明の実施例の第１態様によれば、インターフェース回路を提供し、該インターフェース回路は、ＰＭＩＣ（Ｐｏｗｅｒ  Ｍａｎａｇｅｍｅｎｔ  Ｉｎｔｅｇｒａｔｅｄ  Ｃｉｒｃｕｉｔ、集積電源管理回路）と、ＵＳＢコントローラ（Ｕｎｉｖｅｒｓａｌ  Ｓｅｒｉａｌ  Ｂｕｓ  Ｃｏｎｔｒｏｌｌｅｒ、ユニバーサルシリアルバスコントローラ）と、ＩＣ（Ｉｎｔｅｇｒａｔｅｄ  Ｃｉｒｃｕｉｔ、集積回路）と、ＵＳＢインターフェースと、を含み、
ＰＭＩＣの第１身元ピンＩＤ１（Ｉｄｅｎｔｉｔｙ、身元）はＩＣの第２身元ピンＩＤ２に接続され、ＩＣの第１構成チャネルピンＣＣ１（Ｃｏｎｆｉｇｕｒａｔｉｏｎ  Ｃｈａｎｎｅｌ、構成チャネル）はＵＳＢインターフェースにおける第２構成チャネルピンＣＣ２に接続され、
ＵＳＢコントローラにおけるデータピンはＩＣによってＵＳＢインターフェースにおけるデータピンに接続され、
マスターからスレーブへの切替え状態において、ＩＣは、第２身元ピンＩＤ２と第１構成チャネルピンＣＣ１をオフにし、第２身元ピンＩＤ２をハイレベルにし、第１構成チャネルピンＣＣ１をローレベルにするという状態であり、
スレーブからマスターへの切替え状態において、ＩＣは、第２身元ピンＩＤ２と第１構成チャネルピンＣＣ１をオフにし、第２身元ピンＩＤ２をローレベルにし、第１構成チャネルピンＣＣ１をハイレベルにするという状態であり、
非切替え状態において、ＩＣは、第２身元ピンＩＤ２と第１構成チャネルピンＣＣ１を導通させるという状態である。
【０００７】
好ましくは、ＰＭＩＣの第１電圧バスピンＶＢｕｓ１（Ｖｏｌｔａｇｅ  Ｂｕｓ、電圧バス）はＩＣの第２電圧バスピンＶＢｕｓ２に接続され、ＩＣの第３電圧バスピンＶＢｕｓ３はＵＳＢインターフェースの第４電圧バスピンＶＢｕｓ４に接続され、
マスターからスレーブへの切替え状態又はスレーブからマスターへの切替え状態において、ＩＣは、第２電圧バスピンＶＢｕｓ２と第３電圧バスピンＶＢｕｓ３をオフにするという状態であり、
非切替え状態において、ＩＣは、第２電圧バスピンＶＢｕｓ２と第３電圧バスピンＶＢｕｓ３を導通させるという状態である。
【０００８】
好ましくは、ＵＳＢコントローラの第１データプラスピンＤ１＋（Ｄａｔａ＋）はＩＣの第２データプラスピンＤ２＋に接続され、ＩＣの第３データプラスピンＤ３＋はＵＳＢインターフェースの第４データプラスピンＤ４＋に接続され、
ＵＳＢコントローラの第１データマイナスピンＤ１−（Ｄａｔａ−）はＩＣの第２データマイナスピンＤ２−に接続され、ＩＣの第３データマイナスピンＤ３−はＵＳＢインターフェースの第４データマイナスピンＤ４−に接続され、
マスターからスレーブへの切替え状態又はスレーブからマスターへの切替え状態において、ＩＣは、第２データプラスピンＤ２＋と第３データプラスピンＤ３＋をオフにし、第２データマイナスピンＤ２−と第３データマイナスピンＤ３−をオフにするという状態であり、
非切替え状態において、ＩＣは、第２データプラスピンＤ２＋と第３データプラスピンＤ３＋を導通させ、且つ第２データマイナスピンＤ２−と第３データマイナスピンＤ３−を導通させるという状態である。
【０００９】
好ましくは、ＩＣは、さらに、ＩＣがマスターからスレーブへの切替え状態であるか又はスレーブからマスターへの切替え状態であるかを示すための状態切替え信号を受信する制御ピンを含む。
【００１０】
本発明の実施例の第２態様によれば、第１態様に記載のインターフェース回路が取り付けられている端末を提供している。
【００１１】
本発明の実施例の第３態様によれば、第１態様に記載のインターフェース回路に用いられる状態切替え方法を提供し、該方法は、
状態切替え信号を受信することと、
状態切替え信号によりインターフェース回路がマスターからスレーブへの切替え状態であることを示す場合、ＩＣによって第２身元ピンＩＤ２と第１構成チャネルピンＣＣ１をオフにし、第２身元ピンＩＤ２をハイレベルにし、第１構成チャネルピンＣＣ１をローレベルにすることと、
状態切替え信号によりインターフェース回路がスレーブからマスターへの切替え状態であることを示す場合、ＩＣによって第２身元ピンＩＤ２と第１構成チャネルピンＣＣ１をオフにし、第２身元ピンＩＤ２をローレベルにし、第１構成チャネルピンＣＣ１をハイレベルにすることと、
状態切替え信号に基づいて切替えを完成させた後に、ＩＣによって第２身元ピンＩＤ２と第１構成チャネルピンＣＣ１を導通させることと、を含む。
【００１２】
好ましくは、該方法は、さらに、
状態切替え信号を受信した後に、ＩＣによって第２電圧バスピンＶＢｕｓ２と第３電圧バスピンＶＢｕｓ３をオフにすることを含む。
【００１３】
好ましくは、該方法は、さらに、
インターフェース回路が非切替え状態である場合、ＩＣによって第２電圧バスピンＶＢｕｓ２と第３電圧バスピンＶＢｕｓ３を導通させることを含む。
【００１４】
好ましくは、該方法は、さらに、
状態切替え信号を受信した後に、ＩＣによって第２データプラスピンＤ２＋と第３データプラスピンＤ３＋をオフにし、第２データマイナスピンＤ２−と第３データマイナスピンＤ３−をオフにすることを含む。
【００１５】
好ましくは、該方法は、さらに、
インターフェース回路が非切替え状態である場合、ＩＣによって第２データプラスピンＤ２＋と第３データプラスピンＤ３＋を導通させ、第２データマイナスピンＤ２−と第３データマイナスピンＤ３−を導通させることを含む。
【００１６】
本発明の実施例の第４態様によれば、状態切替え装置を提供し、該装置は、
状態切替え信号によりインターフェース回路がマスターからスレーブへの切替え状態であることを示す場合、ＩＣによって第２身元ピンＩＤ２と第１構成チャネルピンＣＣ１をオフにし、第２身元ピンＩＤ２をハイレベルにし、第１構成チャネルピンＣＣ１をローレベルにするように配置され、
さらに、状態切替え信号によりインターフェース回路がスレーブからマスターへの切替え状態であることを示す場合、ＩＣによって第２身元ピンＩＤ２と第１構成チャネルピンＣＣ１をオフにし、第２身元ピンＩＤ２をローレベルにし、第１構成チャネルピンＣＣ１をハイレベルにするように配置され、
さらに、状態切替え信号に基づいて切替えを完成させた後に、ＩＣによって第２身元ピンＩＤ２と第１構成チャネルピンＣＣ１を導通させるように配置された、
第１態様に記載のインターフェース回路と、
状態切替えリクエストを受信し、状態切替えリクエストに基づいて、制御ピンによってインターフェース回路におけるＩＣに状態切替え信号を送信するように配置された、インターフェース回路におけるＩＣの制御ピンに接続されるプロセッサと、
プロセッサにより実行可能なコマンドを記憶するメモリと、を含む。
【発明の効果】
【００１７】
本発明の実施例に提供される技術的解決手段は以下の有益な効果を含む。ＰＭＩＣとＵＳＢインターフェースとの間に、及びＵＳＢコントローラとＵＳＢインターフェースとの間にマスタースレーブ状態を切り替える１つのＩＣを増設することにより、該ＩＣを利用して異なる切替え状態においてマスター装置とスレーブ装置の切替えを実現する。接続コードで接続させた後に、２台の端末のマスタースレーブ状態がランダムで、且つ切り替えることができず、端末間のデータ交換に不利であるという問題を解決し、インターフェース回路は、異なる切替え状態に基づいて、端末間のマスタースレーブ状態に対する動的な切替えを行い、端末間のデータ交換効率を向上させるという効果を達している。
【００１８】
理解すべき点は、以上の一般的な説明と後の詳細な説明は例示的かつ説明的なものに過ぎず、本発明を限定するものではない。
【図面の簡単な説明】
【００１９】
ここの図面は明細書に合せされ本明細書の一部を構成し、本発明に適合する実施例を示し、明細書と共に本開示の原理を解釈するのに用いられる。
【００２０】
【図１】本発明の各実施例に関わる実施環境の構造概略図である。
【図２Ａ】一例示的な実施例に基づいて示されるインターフェース回路の構造概略図である。
【図２Ｂ】一例示的な実施例に基づいて示される２つのインターフェース回路の接続概略図である。
【図３Ａ】一例示的な実施例に基づいて示される状態切替え方法の方法フローチャートである。
【図３Ｂ】図３Ａに示される状態切替え方法の実施概略図である。
【図３Ｃ】他の例示的な実施例に基づいて示される状態切替え方法の方法フローチャートである。
【図４】一例示的な実施例に基づいて示される状態切替え装置のブロック図である。
【００２１】
上記図面によれば、本発明に係る明瞭な実施例を既に示し、以下、より詳細に説明する。これらの図面と文字説明はいかなる方式で本発明の範囲を限定するためのものではなく、所定の実施例を参照して当業者に本発明の概念を説明するものだけである。
【発明を実施するための形態】
【００２２】
ここで、例示的な実施例を詳細に説明し、その例は図面に示されている。以下の説明は図面に関わる場合、別途で示さない限り、異なる図面における同じ数字は同じ又は類似の要素を示している。以下の例示的な実施例において説明する実施形態は本発明に一致する全ての実施形態ではない。反対に、これらは特許請求の範囲において詳細に説明され、本発明のいくつかの態様に一致する装置と方法の例のみである。
【００２３】
図１に示すように、それは本発明の各実施例に関わる実施環境の構造概略図を示す。該実施環境は第１端末１２０と、第２端末１４０と、接続コード１６０とを含む。
【００２４】
第１端末１２０と第２端末１４０はスマートフォン、タブレットコンピュータ、電子ブックリーダー、ＭＰ３プレーヤー（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＩＩ、エムペグオーディオレイヤー３）、ＭＰ４（Ｍｏｖｉｎｇ  Ｐｉｃｔｕｒｅ  Ｅｘｐｅｒｔｓ  Ｇｒｏｕｐ  Ａｕｄｉｏ  Ｌａｙｅｒ  ＩＶ、エムペグオーディオレイヤー４）プレーヤー又はラップトップ型携帯型コンピュータなどであってもよい。図１において、第１端末１２０と第２端末１４０はいずれもスマートフォンである。
【００２５】
第１端末１２０と第２端末１４０とは接続コード１６０によって接続される。第１端末１２０と第２端末１４０にはいずれもインターフェース回路（図示せず）が設置され、該インターフェース回路はＵＳＢインターフェースを含む。第１端末１２０は接続コード１６０で第２端末１４０に接続される場合、接続コード１６０の第１ジョイント１６２は第１端末１２０のＵＳＢインターフェースに接続され、接続コード１６０の第２ジョイント１６４は第２端末１４０のＵＳＢインターフェースに接続される。
【００２６】
該接続コード１６０の第１ジョイント１６２は第１端末１２０のＵＳＢインターフェースにマッチングし、第２ジョイント１６４は第２端末１４０のＵＳＢインターフェースにマッチングする。例えば、第１端末１２０と第２端末１４０のＵＳＢインターフェースがいずれもＴｙｐｅ  Ｃインターフェースである場合、接続コード１６０はＴｙｐｅ  Ｃ接続コードであり、Ｔｙｐｅ  Ｃ接続コードの第１ジョイント１６２と第２ジョイント１６４はいずれもＴｙｐｅ  Ｃジョイントである。
【００２７】
接続コード１６０によって接続される第１端末１２０と第２端末１４０において、そのうち１つの端末はマスター装置であり、他の端末はスレーブ装置であり、通常時に、接続されている端末において、マスター装置からスレーブ装置を充電し、マスター装置はスレーブ装置からデータを読み書くことができ、スレーブ装置はマスター装置からデータを読み書くことができない。
【００２８】
説明しやすいように、下記実施例において、第１端末１２０と第２端末１４０はいずれもスマートフォンで、第１端末１２０と第２端末１４０におけるＵＳＢインターフェースはいずれもＴｙｐｅ  Ｃインターフェースで、接続コード１６０はＴｙｐｅ  Ｃ  接続コードであるのみを例として説明し、本発明を限定するものではない。
【００２９】
図２Ａは、一例示的な実施例に基づいて示されるインターフェース回路の構造概略図であり、且つ図１において第１端末１２０と第２端末１４０にはいずれも図２Ａに示すようなインターフェース回路が取り付けられる。該インターフェース回路は、ＰＭＩＣ２１０、ＵＳＢ  コントローラ２２０、ＩＣ２３０とＵＳＢインターフェース２４０を含む。
【００３０】
そのうち、ＩＣ２３０は、ＰＭＩＣ２１０とＵＳＢインターフェース２４０との間に設置され、ＰＭＩＣ２１０とＵＳＢインターフェース２４０のそれぞれに電気接続され、ＩＣ２３０は、ＵＳＢコントローラ２２０とＵＳＢインターフェース２４０との間に設置され、ＵＳＢコントローラ２２０とＵＳＢインターフェース２４０のそれぞれに電気接続される。
【００３１】
ＰＭＩＣ２１０は第１身元ピンＩＤ１と第１電圧バスピンＶＢｕｓ１を含む。第１身元ピンＩＤ１は端末のマスタースレーブ状態を示すのに用いられ、第１身元ピンＩＤ１のレベルはハイレベルである場合、表示端末はスレーブ装置状態であり、第１身元ピンＩＤ１のレベルはローレベルである場合、表示端末はマスター装置状態である。第１電圧バスピンＶＢｕｓ１は外部接続端末と電力伝送を行うのに用いられる。外部接続端末はマスター装置である場合、第１電圧バスピンＶＢｕｓ１は接続コードによって外部接続端末から伝送される電気量を受信し、外部接続端末はスレーブ装置である場合、第１電圧バスピンＶＢｕｓ１は接続コードによって外部接続端末に電気量を伝送する。
【００３２】
ＵＳＢコントローラ２２０は第１データプラスピンＤ１＋と第１データマイナスピンＤ１−を含み、第１データプラスピンＤ１＋と第１データマイナスピンＤ１−によって外部接続端末とデータ伝送を行うのに用いられる。
【００３３】
ＩＣ２３の一方側には第２身元ピンＩＤ２と、第２電圧バスピンＶＢｕｓ２と、第２データプラスピンＤ２＋と、第２データマイナスピンＤ２−とが設置される。対応するように、ＩＣ２３の他方側には第１構成チャネルピンＣＣ１と、第３電圧バスピンＶＢｕｓ３と、第３データプラスピンＤ３＋と、第３データマイナスピンＤ３−とが設置される。ＩＣ２３は対応なピンの間のオンオフを調節することにより、ＰＭＩＣ２１０とＵＳＢインターフェース２４０との間のオンオフ、及びＵＳＢコントローラ２２０とＵＳＢインターフェース２４０との間のオンオフを制御する。好ましくは、ＩＣ２３は、さらに、端末におけるプロセッサに接続されてプロセッサにより送信された状態切替え信号を受信する制御ピンＣＴＬを含む。
【００３４】
なお、デフォルト状態において、第２身元ピンＩＤ２と第１構成チャネルピンＣＣ１との間が導通し、第２電圧バスピンＶＢｕｓ２と第３電圧バスピンＶＢｕｓ３との間が導通し、第２データプラスピンＤ２＋と第３データプラスピンＤ３＋との間が導通し、第２データマイナスピンＤ２−と第３データマイナスピンＤ３−との間が導通し、ＰＭＩＣ２１０とＵＳＢインターフェース２４０との間が導通し、ＵＳＢ  Ｃｏｎｔｒｏｌｌｅｒ２２０とＵＳＢインターフェース２４０との間が導通する。そのうち、該デフォルト状態は非切替え状態又は切替えが完成した状態である。
【００３５】
ＵＳＢインターフェース２４０は第２構成チャネルピンＣＣ２と、第４電圧バスピンＶＢｕｓ４と、第４データプラスピンＤ４＋と、第４データマイナスピンＤ４−とを含む。ＵＳＢインターフェースは接続コードに接続されるのに用いられ、それにより端末間の電気量又はデータの伝送を実現する。
【００３６】
図２Ａに示すように、該インターフェース回路において、ＰＭＩＣ２１０と、ＵＳＢコントローラ２２０と、ＩＣ２３０と、ＵＳＢインターフェース２４０との間のピンの接続関係は以下のとおりである。
【００３７】
ＰＭＩＣ２１０の第１身元ピンＩＤ１はＩＣ２３０の第２身元ピンＩＤ２に接続され、ＩＣ２３０の第１構成チャネルピンＣＣ１はＵＳＢインターフェース２４０における第２構成チャネルピンＣＣ２に接続される。
【００３８】
接続されている端末に身元ピンのレベルの高低に基づいて端末間のマスタースレーブ状態を決定させることができるために、デフォルト状態において、ＩＣ２３０は第２身元ピンＩＤ２と第１構成チャネルピンＣＣ１との間を導通させ、すなわち、ＰＭＩＣ２１０の第１身元ピンＩＤ１とＵＳＢインターフェース２４０における第２構成チャネルピンＣＣ２との間が導通する。この時、第１身元ピンＩＤ１のレベル信号は第２構成チャネルピンＣＣ２により外部接続端末に送信されることができる。
【００３９】
ＰＭＩＣ２１０の第１電圧バスピンＶＢｕｓ１はＩＣ２３０の第２電圧バスピンＶＢｕｓ２に接続され、ＩＣ２３０の第３電圧バスピンＶＢｕｓ３はＵＳＢインターフェース２４０の第４電圧バスピンＶＢｕｓ４に接続される。
【００４０】
接続されている端末間の電気量の伝送を保証するために、デフォルト状態において、ＩＣ２３０は第２電圧バスピンＶＢｕｓ２と第３電圧バスピンＶＢｕｓ３との間を導通させ、すなわち、ＰＭＩＣ２１０の第１電圧バスピンＶＢｕｓ１とＵＳＢインターフェース２４０における第４電圧バスピンＶＢｕｓ４との間が導通する。
【００４１】
ＵＳＢコントローラ２２０におけるデータピンはＩＣ２３０によってＵＳＢインターフェース２４０におけるデータピンに接続される。
【００４２】
図２Ａに示すように、ＵＳＢコントローラ２２０の第１データプラスピンＤ１＋はＩＣ２３０の第２データプラスピンＤ２＋に接続され、ＩＣ２３０の第３データプラスピンＤ３＋はＵＳＢインターフェース２４０の第４データプラスピンＤ４＋に接続され、ＵＳＢコントローラ２２０の第１データマイナスピンＤ１−はＩＣ２３０の第２データマイナスピンＤ２−に接続され、ＩＣ２３０の第３データマイナスピンＤ３−はＵＳＢインターフェース２４０の第４データマイナスピンＤ４−に接続される。
【００４３】
接続されている端末間のデータの伝送を保証するために、デフォルト状態において、ＩＣ２３０は第２データプラスピンＤ２＋と第３データプラスピンＤ３＋との間を導通させ、第２データマイナスピンＤ２−と第３データマイナスピンＤ３−との間を導通させ、すなわち、ＵＳＢコントローラ２２０の第１データプラスピンＤ１＋とＵＳＢインターフェース２４０の第４データプラスピンＤ４＋との間が導通し、ＵＳＢコントローラ２２０の第１データマイナスピンＤ１−とＵＳＢインターフェース２４０の第４データマイナスピンＤ４−との間が導通する。
【００４４】
図２Ｂに示すように、第１インターフェース回路と第２インターフェース回路はいずれも図２Ａに示すようなインターフェース回路であり、接続コード２００で接続され、該接続コード２００はＶＢｕｓチャネル２０１と、ＣＣチャネル２０２と、Ｄ＋チャネル２０３と、Ｄ−チャネル２０４と、を含む。
【００４５】
ＶＢｕｓチャネル２０１はＵＳＢインターフェースにおけるＶＢｕｓピンにより送信されたデータ又は信号を伝送するのに用いられ、ＣＣチャネル２０２はＵＳＢインターフェースにおけるＣＣピンにより送信されたデータ又は信号を伝送するのに用いられ、Ｄ＋チャネル２０３はＵＳＢインターフェースにおけるＤ＋ピンにより送信されたデータ又は信号を伝送するのに用いられ、Ｄ−チャネル２０４はＵＳＢインターフェースにおけるＤ−ピンにより送信されたデータ又は信号を伝送するのに用いられる。なお、接続コード２００は、さらに、他の常用チャネルを含み、本実施例は上記４つのチャネルを例として説明し、本発明を限定するものではない。
【００４６】
上記インターフェース回路が取り付けられる端末は、実際ニーズに基づいて、インターフェース回路に対応な状態切替えコマンドを送信し、インターフェース回路で状態切替えコマンドに基づいてマスタースレーブ状態の動的な切替えを行うことができる。
【００４７】
マスターからスレーブへの切替え状態において、ＩＣ２３０は、第２身元ピンＩＤ２と第１構成チャネルピンＣＣ１をオフにし、第２身元ピンＩＤ２をハイレベルにし、第１構成チャネルピンＣＣ１をローレベルにするという状態である。
【００４８】
マスターからスレーブへの切替え状態はマスター装置からスレーブ装置に切り替える状態である。該マスターからスレーブへの切替え状態において、第２身元ピンＩＤ２はハイレベルであり且つ第２身元ピンＩＤ２はＰＭＩＣ２１０の第１身元ピンＩＤ１に接続されているため、第１身元ピンＩＤ１は第２身元ピンＩＤ２のハイレベル信号を受信することができ、ＰＭＩＣ２１０は現在端末がスレーブ装置であることを知る。また、第１構成チャネルピンＣＣ１はＵＳＢインターフェース２４０の第２構成チャネルピンＣＣ２によってローレベル信号を他の端末のＰＭＩＣに送信し、他の端末のＰＭＩＣに現在端末がマスター装置であることを知らせる。
【００４９】
スレーブからマスターへの切替え状態はスレーブ装置からマスター装置に切り替える状態である。該スレーブからマスターへの切替え状態において、第２身元ピンＩＤ２はローレベルであり且つ第２身元ピンＩＤ２はＰＭＩＣ２１０の第１身元ピンＩＤ１に接続されているため、第１身元ピンＩＤ１は第２身元ピンＩＤ２のローレベル信号を受信することができ、ＰＭＩＣ２１０は現在端末がマスター装置であることを知る。また、第１構成チャネルピンＣＣ１はＵＳＢインターフェース２４０の第２構成チャネルピンＣＣ２によってハイレベル信号を他の端末のＰＭＩＣに送信し、他の端末のＰＭＩＣに現在端末がスレーブ装置であることを知らせる。
【００５０】
状態切替えを経た後、端末間のマスタースレーブ状態が変化するため、端末間の電気量伝送方向又はデータ伝送方向の変化を引き起こす。ＩＣ２３０、電力伝送浪費又はデータ伝送異常を回避するために、可能の実現方式として、マスターからスレーブへの切替え又はスレーブからマスターへの切替え状態において、第２データプラスピンＤ２＋と第３データプラスピンＤ３＋をオフにし、第２データマイナスピンＤ２−と第３データマイナスピンＤ３−をオフにし、第２電圧バスピンＶＢｕｓ２と第３電圧バスピンＶＢｕｓ３をオフにするという状態である。
【００５１】
マスターからスレーブへの切替え又はスレーブからマスターへの切替え状態において、第２データプラスピンＤ２＋と第３データプラスピンＤ３＋をオフにし、第２データマイナスピンＤ２−と第３データマイナスピンＤ３−をオフにするため、端末間のデータ伝送が中止し、データ伝送を行うことができず、且つ第２電圧バスピンＶＢｕｓ２と第３電圧バスピンＶＢｕｓ３をオフにするため、端末間で電気量の伝送を行うこともできない。
【００５２】
ＩＣ２３０は、非切替え状態又は切替えを完成させた場合にデータと電気量が通常伝送に復元されることを保証するために、非切替え状態において、第２身元ピンＩＤ２と第１構成チャネルピンＣＣ１を導通させ、且つ第２データプラスピンＤ２＋と第３データプラスピンＤ３＋を導通させ、第２データマイナスピンＤ２−と第３データマイナスピンＤ３−  ２３８を導通させ、且つ第２電圧バスピンＶＢｕｓ２と第３電圧バスピンＶＢｕｓ３を導通させるという状態である。
【００５３】
図３Ａは、一例示的な実施例に基づいて示される状態切替え方法の方法フローチャートである。本実施例は該状態切替え方法を図２Ａに示されるインターフェース回路に用いることを例として説明し、該方法は以下を含む。
【００５４】
ステップ３０１において、状態切替え信号を受信する。図２Ａに示されるインターフェース回路が取り付けられる端末は実際ニーズに基づいて、マスター装置からスレーブ装置に切り替えられ、又はスレーブ装置からマスター装置に切り替えられることができる。ユーザーは端末に予めにインストールされている制御ソフトウェアによって、ユーザーがトリガーした状態切替えリクエストを受信することができ、端末は該状態切替えリクエストを受信した後、すなわち、プロセッサによって該インターフェース回路におけるＩＣに対応な状態切替え信号を送信し、対応するように、インターフェース回路におけるＩＣは該状態切替え信号を受信する。そのうち、異なる状態切替え信号はインターフェース回路の切替え状態が異なっていることを示し、状態切替え信号と切替え状態の対応関係は例示的に表１に示される。
【００５５】
【表１】
2017532701.tif 000003
【００５６】
例えば、図３Ｂに示すように、スマートフォン３１は現在端末間のマスタースレーブ関係（スマートフォン３１はマスター装置、スマートフォン３２はスレーブ装置）を示し、ユーザーが切替えボタン３３をクリックする時、スマートフォン３１は状態切替えリクエスト（マスター装置からスレーブ装置に切り替え）を受信し、スマートフォン３１は該状態切替えリクエストを受信した後、インターフェース回路におけるＩＣに対応な状態切替え信号（マスターからスレーブへの切替信号）を送信し、対応するように、ＩＣは該状態切替え信号を受信する。
【００５７】
ステップ３０２において、状態切替え信号によりインターフェース回路がマスターからスレーブへの切替え状態であることを示す場合、ＩＣによって第２身元ピンＩＤ２と第１構成チャネルピンＣＣ１をオフにし、第２身元ピンＩＤ２をハイレベルにして、第１構成チャネルピンＣＣ１をローレベルにする。
【００５８】
受信した状態切替え信号によりインターフェース回路がマスターからスレーブへの切替え状態であることを示す場合、ＩＣは、現在装置をマスター装置からスレーブ装置に切り替え、すなわち、ＩＤ２とＣＣ１をオフにし、ＩＤ２とＣＣピン１のそれぞれのレベルを配置しなければならないことを知る。
【００５９】
マスターからスレーブへの切替え状態において、ＩＣは、ＩＤ２をハイレベルにして、ＣＣ１をローレベルにする。この時、ＩＤ２に接続されるＰＭＩＣのＩＤ１はハイレベル信号を受信し、現在装置がスレーブ装置であることを知り、ＣＣ１に接続されるＵＳＢインターフェースのＣＣ２はＣＣ１のローレベル信号を受信し、接続コードによって他の端末に送信する。他の端末のＣＣピンが身元ピンに導通するため、他の端末のＰＭＩＣはローレベル信号を受信することができ、現在端末がマスター装置であることを知る。
【００６０】
ステップ３０３において、状態切替え信号によりインターフェース回路がスレーブからマスターへの切替え状態であることを示す場合、ＩＣによって第２身元ピンＩＤ２と第１構成チャネルピンＣＣ１をオフにし、第２身元ピンＩＤ２をローレベルにして、第１構成チャネルピンＣＣ１をハイレベルにする。
【００６１】
受信した状態切替え信号によりインターフェース回路がスレーブからマスターへの切替え状態であることを示す場合、ＩＣは、現在装置をスレーブ装置からマスター装置に切り替え、すなわち、ＩＤ２とＣＣ１をオフにし、ＩＤ２とＣＣ１のそれぞれのレベルを配置しなければならないことを知る。
【００６２】
スレーブからマスターへの切替え状態において、ＩＣは、ＩＤ２をローレベルにして、ＣＣ１をハイレベルにする。この時、ＩＤ２に接続されるＰＭＩＣのＩＤ１はローレベル信号を受信し、現在装置がマスター装置であることを知り、ＣＣ１に接続されるＵＳＢインターフェースのＣＣ２はＣＣ１のハイレベル信号を受信し、接続コードによって他の端末に送信する。他の端末のＣＣピンが身元ピンに導通するため、他の端末のＰＭＩＣはハイレベル信号を受信することができ、現在端末がスレーブ装置であることを知る。
【００６３】
上記ステップ３０２又はステップ３０３によれば、２つの端末のそれぞれのＰＭＩＣの身元ピンのレベルが変化し、身元ピンのレベルはローレベルからハイレベルになる場合、端末はマスター装置からスレーブ装置に切り替えられ、身元ピンのレベルはハイレベルからローレベルになる場合、端末はスレーブ装置からマスター装置に切り替えられる。
【００６４】
ステップ３０４において、状態切替え信号に基づいて切替えを完成させた後、ＩＣによって第２身元ピンＩＤ２と第１構成チャネルピンＣＣ１を導通させる。
【００６５】
状態切替え信号に基づいて切替えを完成させた後、ＩＣはＩＤ２とＣＣ１を導通させ、ＣＣ１のレベルはＩＤ２のレベルと同じである。接続コードによって接続されている端末は相互に相手端末ＰＭＩＣの身元ピンのレベルを識別し、端末間のマスタースレーブ関係を決定することができる。
【００６６】
図３Ｂに示すように、マスタースレーブ状態を切り替える前に、スマートフォン３１はマスター装置であり、スマートフォン３２はスレーブ装置であり、且つスマートフォン３１は接続コードによってスマートフォン３２を充電し、マスタースレーブ状態を切り替えた後に、スマートフォン３１はスレーブ装置になり、スマートフォン３２はマスター装置になり、スマートフォン３２は接続コードによってスマートフォン３１を充電する。なお、マスタースレーブ状態を切り替える前に、スマートフォン３１はスマートフォン３２にデータを読み書きすることができ、マスタースレーブ状態を切り替えた後に、スマートフォン３２はスマートフォン３１にデータを読み書くことができる。
【００６７】
以上のように、本実施例に提供される状態切替え方法は、ＰＭＩＣとＵＳＢインターフェースとの間に、及びＵＳＢ  コントローラとＵＳＢインターフェースとの間にマスタースレーブ状態を切り替える１つのＩＣを増設することにより、該ＩＣを利用して異なる切替え状態においてマスター装置とスレーブ装置の切替えを実現する。接続コードで接続させた後、２台の端末のマスタースレーブ状態がランダムで、且つ切り替えることができず、端末間のデータ交換に不利であるという問題を解決し、インターフェース回路は異なる切替え状態に基づいて、端末間のマスタースレーブ状態に対する動的な切替えを行い、端末間のデータ交換効率を向上させるという効果を達する。
【００６８】
状態切替えを経た後、端末間のマスタースレーブ状態が変化するため、端末間の電気量伝送方向又はデータ伝送方向の変化を引き起こす。好ましくは、図３Ｃに示すように、電力伝送浪費又はデータ伝送異常を回避するために、該方法はさらに以下のようなステップを含む。
【００６９】
ステップ３０５において、状態切替え信号を受信した後、ＩＣによって第２電圧バスピンＶＢｕｓ２と第３電圧バスピンＶＢｕｓ３をオフにする。
【００７０】
デフォルト状態において、ＩＣにおけるＶＢｕｓ２とＶＢｕｓ３が導通し、よって端末は接続コードによって接続されている端末に電力伝送を行うことができ、そのうち、デフォルト状態は非切替え状態又は切替えを完成させた状態である。通常時に、接続される２つの端末において、マスター装置がスレーブ装置を充電し、マスタースレーブ状態切替え後、元のマスター装置はスレーブ装置になり、元のスレーブ装置はマスター装置になるため、充電方向の変化を引き起こし、そのため、状態切替え信号を受信した後、インターフェース回路はＩＣによってＶＢｕｓ２とＶＢｕｓ３をオフにし、それにより端末間の電力伝送を阻止する。
【００７１】
ステップ３０６において、状態切替え信号を受信した後、ＩＣによって第２データプラスピンＤ２＋と第３データプラスピンＤ３＋をオフにし、第２データマイナスピンＤ２−と第３データマイナスピンＤ３−をオフにする。
【００７２】
デフォルト状態において、ＩＣにおけるＤ２＋とＤ３＋が導通し、Ｄ２−とＤ３−が導通し、よって接続される２つの端末におけるマスター装置は接続コードによってスレーブ装置にデータを読み書くことができ、そのうち、デフォルト状態は非切替え状態又は切替えを完成させた状態である。マスター装置のみスレーブ装置からデータを読み取ることができるため、且つマスタースレーブ状態切替え後、元のマスター装置はスレーブ装置になり、元のスレーブ装置はマスター装置になり、切替え状態においてデータを伝送すれば、データ伝送異常を引き起こすことがあり、そのため、状態切替え信号を受信した後、インターフェース回路はＩＣによってＤ２＋とＤ３＋をオフにし、Ｄ２−とＤ３−をオフにし、それにより切替え状態でのデータの伝送を回避する。
【００７３】
好ましくは、図３Ｃに示すように、対応するように、状態切替え後端末間のデータ又は電気量の伝送を改めて行うために、該方法はさらに以下のようなステップを含んでもよい。
【００７４】
ステップ３０７において、インターフェース回路が非切替え状態である場合、ＩＣによって第２電圧バスピンＶＢｕｓ２と第３電圧バスピンＶＢｕｓ３を導通させる。
【００７５】
状態切替えを完成させた後、電気量の通常伝送を保証するために、インターフェース回路におけるＩＣはＶＢｕｓ２とＶＢｕｓ３を導通させ、それによりＰＭＩＣのＶＢｕｓ１とＵＳＢインターフェースのＶＢｕｓ４を導通させ、よって端末間の電気量を伝送することができる。
【００７６】
ステップ３０８において、インターフェース回路が非切替え状態である場合、ＩＣによって第２データプラスピンＤ２＋と第３データプラスピンＤ３＋を導通させ、第２データマイナスピンＤ２−と第３データマイナスピンＤ３−を導通させる。
【００７７】
上記ステップ３０７に類似するように、状態切替えを完成させた後、データの通常伝送を保証するために、インターフェース回路におけるＩＣはＤ２＋とＤ３＋を導通させ、Ｄ２−とＤ３−を導通させ、それによりＵＳＢコントローラのＤ１＋とＵＳＢインターフェースのＤ４＋を導通させ、ＵＳＢコントローラのＤ１−とＵＳＢインターフェースのＤ４−を導通させ、よって端末間のデータを伝送することができる。
【００７８】
図４は、一例示的な実施例に基づいて示される状態切替え装置４００のブロック図である。例えば、装置４００は、携帯電話、コンピュータ、デジタル放送端末、メッセージ送受信装置、ゲームコンソール、タブレット型デバイス、医療機器、フィットネス機器、個人用デジタル補助装置などであってもよい。
【００７９】
図４に示すように、装置４００は、処理部４０２、メモリ４０４、電源部４０７、マルチメディア部４０８、音声部４１０、入力／出力（Ｉ／Ｏ）のインターフェース４１２、センサー部４１４、及び通信部４１６のうちの一つ又は複数の部材を含むことができる。
【００８０】
処理部４０２は、一般的に装置４００の全体的操作、例えば、表示、電話呼び出し、データ通信、カメラ操作及び記録操作に関する操作を制御する。処理部４０２は、上記方法の全部又は一部のステップを完成するために、一つ又は複数のプロセッサ４２０を含んでコマンドを実行してもよい。さらに、処理部４０２は、その他のモジュールとのインタラクションを便利にするように、一つ又は複数のモジュールを含んでもよい。例えば、処理部４０２は、マルチメディア部４０８と処理部４０２とのインタラクションを便利にするように、マルチメディアモジュールを含んでもよい。本実施例において、プロセッサ４２０は、インターフェース回路におけるＩＣの制御ピンに接続され、状態切替えリクエストを受信するのに用いられ、該状態切替えリクエストに基づいて、制御ピンによってインターフェース回路におけるＩＣに対応な状態切替え信号を送信する。
【００８１】
メモリ４０４は、装置４００の操作をサポートするために、様々な種類のデータを記憶するように配置される。これらのデータの実例は、装置４００において操作される如何なるアプリケーション又は方法のコマンド、連絡先データ、電話帳データ、メッセージ、画像、ビデオなどを含む。メモリ４０４は、如何なる種類の揮発性又は不揮発性メモリ又はそれらの組合せ、例えば、スタティックランダムアクセスメモリ（ＳＲＡＭ）、電気的消去可能なプログラマブル読み取り専用メモリ（ＥＥＰＲＯＭ）、消去可能なプログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００８２】
電源部４０６は、装置４００の様々な部材のために電力を供給する。電源部４０６は、電源管理システム、一つ又は複数の電源、及びその他の装置４００のための電力の生成、管理及び供給に関連する部材を含むことができる。本実施例において、該電源部材４０６は、インターフェース回路におけるＰＭＩＣに電気接続される。
【００８３】
マルチメディア部４０８は、装置４００とユーザーの間の一つの出力インターフェースを提供するスクリーンを含む。一部の実施例において、スクリーンは液晶ディスプレイ（ＬＣＤ）とタッチパネル（ＴＰ）を含んでもよい。スクリーンにタッチパネルが含まれる場合、スクリーンはユーザーからの入力信号を受信するために、タッチスクリーンに実現されることができる。タッチパネルは、タッチ、スワイプ及びタッチパネルにおけるジェスチャーを感知するために、一つ又は複数のタッチセンサーを含む。上記タッチセンサーは、タッチ又はスワイプ動作の境界を感知するとともに、上記タッチ又はスワイプ動作に関わる持続時間及び圧力を検出することができる。一部の実施例において、マルチメディア部４０８は、フロントカメラ及び／又はバックカメラを含む。装置４００が操作モードである場合、例えば、撮影モード又はビデオモードである場合、フロントカメラ及び／又はバックカメラは外部のマルチメディアデータを受信することができる。各フロントカメラ及びバックカメラは、固定された光学レンズシステムであってもよく、又は焦点距離と光学ズーム能力を有する。
【００８４】
音声部４１０は、音声信号を出力及び／又は入力するように配置される。例えば、音声部４１０は、マイクロホン（ＭＩＣ）を含み、装置４００が操作モードである場合、例えば、呼び出しモード、記録モード及び音声認識モードである場合、マイクロホンは外部の音声信号を受信するように配置される。受信された音声信号は、さらにメモリ４０４に記憶され、又は通信部４１６を介して送信される。一部の実施例において、音声部４１０は、さらに音声信号を出力するスピーカーを含む。
【００８５】
Ｉ／Ｏインターフェース４１２は、処理部４０２と周辺インターフェース部との間にインターフェースを提供し、上記周辺インターフェース部は、キーボード、クリックホイール、ボタンなどであってもよい。これらのボタンは、ホームボタン、ボリュームボタン、スタートボタン及びホールドボタンを含むことができるが、それに限定されない。本実施例において、該Ｉ／Ｏインターフェース４１２はＵＳＢインターフェースであってもよい。
【００８６】
センサー部４１４は、一つ又は複数のセンサーを含み、装置４００に各方面の状態評価を提供するためである。例えば、センサー部４１４は、装置４００のオン／オフ状態、部材の相対的位置決めを検出することができ、例えば、前記部材が装置４００のディスプレイ及びキーパッドであり、センサー部４１４は、さらに装置４００又は装置４００の一つの部材の位置変化、ユーザーと装置４００との接触の有無、装置４００の方角又は加速／減速及び装置４００の温度変化を検出することができる。センサー部４１４は、近接センサーを含むことができ、如何なる物理的接触がない時、近傍物体の存在を検出するように配置される。センサー部４１４は、さらに光学センサー、例えば、ＣＭＯＳ又はＣＣＤイメージセンサーを含むことができ、イメージングアプリケーションに用いられる。一部の実施例において、該センサー部４１４は、さらに加速度センサー、ジャイロセンサ、磁気センサー、圧力センサー又は温度センサーを含むことができる。
【００８７】
通信部４１６は、装置４００とその他の装置との有線又は無線方式による通信を便利にするように配置される。装置４００は、通信標準に基づく無線ネットワーク、例えば、Ｗｉ−Ｆｉ、２Ｇ又は３Ｇ、又はそれらの組み合わせにアクセスすることができる。一例示的な実施例において、通信部４１６は、放送チャネルを介して外部放送管理システムからの放送信号又は放送関連情報を受信する。一例示的な実施例において、通信部４１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【００８８】
例示的な実施例において、装置４００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記方法を実行するのに用いられる。
【００８９】
例示的な実施例において、さらに、コマンドを含む非一時的コンピュータ可読記憶媒体、例えば、コマンドを含むメモリ４０４を提供し、上記方法を完成するために、上記コマンドは装置４００のプロセッサ４２０により実行することができる。例えば、前記非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【００９０】
非一時的なコンピュータ読み取り可能な記憶媒体は、前記記憶媒体におけるコマンドが装置４００のプロセッサにより実行される時、装置４００は、
状態切替えリクエストを受信することと、状態切替えリクエストに基づいて、制御ピンによってインターフェース回路におけるＩＣに状態切替え信号を送信することと、を実行することができ、
インターフェース回路は、状態切替え信号によりインターフェース回路がマスターからスレーブへの切替え状態であることを示す場合、ＩＣによって第２身元ピンＩＤ２と第１構成チャネルピンＣＣ１をオフにし、第２身元ピンＩＤ２をハイレベルにし、第１構成チャネルピンＣＣ１をローレベルにするように配置され、
インターフェース回路は、さらに、状態切替え信号によりインターフェース回路がスレーブからマスターへの切替え状態であることを示す場合、ＩＣによって第２身元ピンＩＤ２と第１構成チャネルピンＣＣ１をオフにし、第２身元ピンＩＤ２をローレベルにし、第１構成チャネルピンＣＣ１をハイレベルにするように配置され、
インターフェース回路は、さらに、状態切替え信号に基づいて切替えを完成させた後、ＩＣによって第２身元ピンＩＤ２と第１構成チャネルピンＣＣ１を導通させるように配置される。
【００９１】
当業者であれば、明細書を考慮しここに開示された発明を実践した後、本発明のその他の実施態様を容易に想到できる。本願は、本発明の如何なる変形、用途又は適応的変化を含むためのものであり、これらの変形、用途又は適応的変化は本発明の一般的な原理に準じ、本発明の開示されていない当該技術分野における一般的知識又は慣用の技術手段を含む。明細書と実施例は例示的なものに過ぎず、本発明の範囲と精神は特許請求の範囲により与えられる。
【００９２】
理解すべきことは、本発明は既に上記のように説明され、図面に示された正確な構造に限定されず、その範囲を逸脱しない限りにおいて様々な修正や変更を行うことができる。本発明の範囲は特許請求の範囲のみにより限定される。
【図１】
2017532701.tif 000004
【図２Ａ】
2017532701.tif 000005
【図２Ｂ】
2017532701.tif 000006
【図３Ａ】
2017532701.tif 000007
【図３Ｂ】
2017532701.tif 000008
【図３Ｃ】
2017532701.tif 000009
【図４】
2017532701.tif 000010
【国際調査報告】
2017532701.tif 000011
2017532701.tif 000012
2017532701.tif 000013
2017532701.tif 000014